(57)【要約】【課題】簡易な構成の放射線モニタを提供すること。【解決手段】放射線検出器からのパルス信号ａ１を入力するコネクタ１３ａと、弁別レベルを設定する弁別値設定部１５と、パルス信号ａ１から得られるパルスを弁別レベルに従って弁別する波高弁別部１４ａと、この波高弁別部１４ａからのロジックパルスｂ１を計数する計数部１７ａと計数された計数値ｃ１を記録する記録部１８とが設けられる論理回路素子１６と、ＰＣ１１と相互に信号伝送を可能とするインターフェース素子１９と、ＰＣ１１と接合するＰＣ接合部２０と、ＰＣ１１内部固定用の金属部２１とを備えた。【選択図】  図１
2005106542.tif 000002
【特許請求の範囲】
【請求項１】
放射線検出器からのパルス信号を入力する信号入力部と、
弁別レベルを設定する弁別値設定部と、
前記パルス信号から得られるパルスを前記弁別レベルに従って弁別する波高弁別部と、
前記波高弁別部からのロジックパルスを計数する計数部と計数された計数値を記録する記録部とが設けられる論理回路素子と、
前記処理制御用計算機と相互に信号伝送を可能とするインターフェース素子と、
前記処理制御用計算機と接合する処理制御用計算機接合部と、
前記処理制御用計算機内部固定用の固定手段とを備えたことを特徴とする放射線モニタ用計数カード。
【請求項２】
前記記録部には、前記ロジックパルスを区分して記録するための複数のブロックが設けられたことを特徴とする請求項１に記載の放射線モニタ用計数カード。
【請求項３】
複数のパルス信号を入力する複数の信号入力部と、前記複数のパルス信号から得られるパルスを弁別レベルに従ってそれぞれ弁別する複数の波高弁別部と、前記複数の波高弁別部から伝送されるそれぞれのロジックパルスを計数する複数の計数部とを備えたことを特徴とする請求項１に記載の放射線モニタ用計数カード。
【請求項４】
同時性判定のためのタイミングレベルを設定する同時性判定設定部と前記複数の波高弁別部から伝送される複数のロジックパルスの同時性判定を前記タイミングレベルに従って行なう同時性判定部とを備え、前記論理回路素子には、前記同時性判定部からのロジックパルスを計数する同時性計数部を設けたことを特徴とする請求項３に記載の放射線モニタ用計数カード。
【請求項５】
前記論理回路素子に入力されるロジックパルスの入力時間値を発するタイマー部が備えられ、前記論理回路素子には、前記波高弁別部からロジックパルスが伝送される毎に前記入力時間値を記録する入力時間値記録部を備えたことを特徴とする請求項１に記載の放射線モニタ用計数カード。
【発明の詳細な説明】
【技術分野】
【０００１】
本発明は、原子力施設等で使用される放射線検出装置に係り、特に、処理制御用計算機に内蔵できる放射線モニタ用計数カードに関する。
【背景技術】
【０００２】
一般に、複数の放射線検出器の出力を計数する放射線モニタにおいては、複数の放射線検出器、放射線計数モジュール及び処理制御用計算機による構成がある（例えば、特許文献１，２参照。）。
【０００３】
また、放射線モニタとしては、１つの放射線検出器から複数のパルス信号を出力する放射線検出器、同時計数ユニット、処理制御用計算機からなる構成がある（例えば、特許文献３，４参照。）。
【特許文献１】特開平１１−６４５２９号公報（第４頁−第７頁、図１）
【特許文献２】特開２００３−５７３５４号公報（第３頁、図１）
【特許文献３】特開平９−２８１２４５号公報（第３頁−第４頁、図１）
【特許文献４】特開２００２−３４１０３６号公報（第３頁−第４頁、図１）
【発明の開示】
【発明が解決しようとする課題】
【０００４】
特許文献１，２，３，４で開示された放射線モニタでは、単数又は複数の放射線検出器と、放射線検出器から出力されるパルス信号を計数する放射線計数モジュールと、処理制御用計算機とが独立した構成となっているため、その構成を単純化することが課題であった。
【０００５】
本発明は上述した課題を解決するためになされたものであり、処理制御用計算機の内部にて、単数又は複数の放射線検出器からの出力を計数できる放射線モニタ用計数カードを提供することを目的とする。
【課題を解決するための手段】
【０００６】
本発明に係る放射線モニタ用計数カードは、上述した課題を解決するために、放射線検出器からのパルス信号を入力する信号入力部と、弁別レベルを設定する弁別値設定部と、前記パルス信号から得られるパルスを前記弁別レベルに従って弁別する波高弁別部と、前記波高弁別部からのロジックパルスを計数する計数部と計数された計数値を記録する記録部とが設けられる論理回路素子と、前記処理制御用計算機と相互に信号伝送を可能とするインターフェース素子と、前記処理制御用計算機と接合する処理制御用計算機接合部と、前記処理制御用計算機内部固定用の固定手段とを備えた。
【発明の効果】
【０００７】
本発明に係る放射線モニタ用計数カードによると、放射線モニタの機能を処理制御用計算機に内蔵することができるので、簡易な構成の放射線モニタを提供することができる。
【発明を実施するための最良の形態】
【０００８】
以下、本発明に係る放射線モニタ用計数カードの実施形態について、図面を参照して説明する。
【０００９】
図１は、本発明に係る放射線モニタ用計数カードの第１実施形態を示す概略図である。
【００１０】
図１は基板状の放射線モニタ用計数カード１０を示し、この放射線モニタ用計数カード１０は、拡張カードとして処理制御用計算機、例えばパーソナルコンピュータ（以下、「ＰＣ」という。）１１に内蔵できるものである。なお、放射線モニタ用計数カード１０への入力はチャンネル数Ｎ（Ｎ＝１，２，・・・）、例えば以下にチャンネル数２（Ｎ＝２）の場合を参照して説明する。なお、放射線モニタ用計数カード１０への入力はチャンネル数２に限定するものではなく、チャンネル数１又は３以上でも構わない。
【００１１】
放射線モニタ用計数カード１０には、チャンネル数Ｎのうち、ｎ（ｎ：Ｎ以下）チャンネルのパルス信号ａｎを入力する。チャンネル数２（Ｎ＝２）の場合、放射線モニタ用計数カード１０には、２チャンネルのパルス信号ａ１，ａ２（ｎ＝１，２）をそれぞれ入力する信号入力部、例えばコネクタ１３ａ，１３ｂと、設定された弁別レベルによってパルス信号ａ１，ａ２から得られるパルスを波高値によってそれぞれ弁別する波高弁別部１４ａ，１４ｂと、所要の弁別レベルを設定する弁別値設定部１５と、波高弁別部１４ａ，１４ｂにて波高値が弁別レベル以上となる場合波高弁別部１４ａ，１４ｂからロジックパルスｂ１，ｂ２を入力して計数及び記録等を実施する論理回路素子１６とが備えられる。
【００１２】
なお、パルス信号ａ１，ａ２を増幅するために、適した増幅器、例えばプリアンプを設けてもよい。
【００１３】
論理回路素子１６には、ロジックパルスｂ１，ｂ２をそれぞれ計数する計数部１７ａ，１７ｂと、この計数部１７ａ，１７ｂにて得られた計数値ｃ１，ｃ２を所要のタイミングｔｉ（ｉ＝１，２，・・・）毎に読み出して記録する記録部１８とが設けられる。
【００１４】
記録部１８の内部には、複数のブロックが設けられる。複数のブロックは、計数値ｃｎを、計数値ｃｎ毎、かつ、計数値ｃｎの読み出しタイミングｔｉ毎にそれぞれ記録するものである。ここで、読み出しタイミングｔｉで読み出された計数値ｃｎを「計数値ｃｎ−ｔｉ」と記載する。例えばパルス信号ａ１を基に得られた計数値ｃ１であり、読み出しタイミングｔ１で読み出された計数値ｃ１−ｔ１は、第１のブロックに記録される。一方、パルス信号ａ２を基に得られた計数値ｃ２であり、読み出しタイミングｔ１で読み出された計数値ｃ２−ｔ１は、第２のブロックに記録される。さらに、パルス信号ａ１を基に得られた計数値ｃ１であり、読み出しタイミングｔ２で読み出された計数値ｃ１−ｔ２は、第３のブロックに記録される。
【００１５】
加えて、放射線モニタ用計数カード１０には、放射線モニタ用計数カード１０及びＰＣ１１相互に信号伝送を可能とするＰＣＩ（Peripheral Component Interconnect）等のインターフェース素子１９と、ＰＣ１１へ直接接合されるＰＣ接合部２０とが備えられる。
【００１６】
また、放射線モニタ用計数カード１０をＰＣ１１に内蔵可能とするために、放射線モニタ用計数カード１０は、ＰＣ１１内部固定用の固定手段、例えば金具部２１を有する。なお、放射線モニタ用計数カード１０には、放射線モニタ用計数カード１０に備えられる各部への供給電源（図示しない）と、各部に付随する周辺回路（図示しない）とを有する。
【００１７】
次いで、放射線モニタ用計数カード１０の動作について説明する。
【００１８】
放射線検出器（図示しない）からのパルス信号ａｎ、例えばパルス信号ａ１（ｎ＝１）は、処理制御用計算機、例えばＰＣ１１に内蔵される放射線モニタ用計数カード１０の信号入力部、例えばコネクタ１３ａから放射線モニタ用計数カード１０に入力される。
【００１９】
パルス信号ａ１は、コネクタ１３ａから波高弁別部１４ａに伝送され、この波高弁別部１４ａにてパルス波形を形成する。波高弁別部１４ａは、波高値が、弁別値設定部１５によって設定された所要の弁別レベル以上の場合、論理回路素子１６にロジックパルスｂ１を出力する。
【００２０】
論理回路素子１６に設けられる計数部１７ａでは、ロジックパルスｂ１が入力され、ロジックパルスｂ１の計数（カウント）が行なわれ、計数値ｃ１が得られる。記録部１８は、計数部１７ａにて得られた計数値ｃ１を、読み出しタイミングｔｉ毎に読み出す。例えば、パルス信号ａ１を基に得られた計数値ｃ１であり、読み出しタイミングｔ１で読み出された計数値ｃ１−ｔ１は、記録部１８内部の、初期化されてデータを含まないブロックに記録される。なお、記録部１８への読み出しが終了した読み出しタイミングｔ１の計数値ｃ１−ｔ１は、計数部１７ａから消去される。
【００２１】
一方、パルス信号ａ１の伝送と同様に、パルス信号ｂ２は、コネクタ１３ｂから波高弁別部１４ｂに伝送され、波高弁別部１４ｂにて波高弁別が行なわれる。計数部１７ｂでは、ロジックパルスｂ２が入力された後計数され、計数値ｃ２が得られる。記録部１８は、計数部１７ｂにて得られた計数値ｃ２を、読み出しタイミングｔｉ毎に読み出す。例えば、読み出しタイミングｔ１で読み出された計数値ｃ２−ｔ１は、記録部１８内部の、初期化されてデータを含まないブロックに記録される。なお、記録部１８への読み出しが終了した読み出しタイミングｔ１の計数値ｃ２−ｔ１は、計数部１７ｂから消去される。
【００２２】
よって、記録部１８の内部に設けられる複数のブロックには、パルス信号ａｎに基づく計数値ｃｎが、読み込みタイミングｔｉによって区分されて記録されることになる。
【００２３】
続いて、ＰＣ１１に備える図示しないＣＰＵ（Central Processing Unit）は、読み出し対象とする計数値ｃｎ（パルス信号ａｎ）と読み込みタイミングｔｉの情報をもつ要求信号ｄｎ−ｔｉを発する。例えば、計数値ｃ１であり、読み込みタイミングｔ１の計数値ｃ１−ｔ１を読み出したい場合、ＣＰＵは、要求信号ｄ１−ｔ１を発する。この要求信号ｄ１−ｔ１は、ＰＣ接合部２０及びインターフェース素子１９を介して、記録部１８に伝送される。
【００２４】
記録部１８では、複数のブロックのうち、要求信号ｄ１−ｔ１に従って、計数値ｃ１であり、読み込みタイミングｔ１の計数値ｃ１−ｔ１が記録されているブロックを抽出する。このブロックに記録されている計数値ｃ１−ｔ１は、インターフェース素子１９及びＰＣ接合部２０を介してＰＣ１１に読み出され、このＰＣ１１に備える図示しない演算処理部等に出力される。なお、ＰＣ１１に読み出された計数値ｃ１−ｔ１が記録されていたブロックは、データが消去されて初期化される。
【００２５】
演算処理部では、計数値ｃ１−ｔ１に基づいて各種処理が行なわれ、その処理結果がディスプレイ（図示しない）に表示され、モニタされる。
【００２６】
放射線モニタ用計数カード１０を用いると、放射線モニタの機能をＰＣ１１に内蔵することができるので、簡易な構成の放射線モニタを提供することができる。さらに、複数チャンネルのパルス信号ａｎを基に得られるロジックパルスｂｎを計数することができ、ＰＣ１１に読み出すことができる。
【００２７】
図２は、本発明に係る放射線モニタ用計数カードの第２実施形態を示す概略図である。
【００２８】
図２は放射線モニタ用計数カード１０Ａを示し、この放射線モニタ用計数カード１０Ａは、拡張カードとして処理制御用計算機、例えばＰＣ１１に内蔵できるものである。なお、放射線モニタ用計数カード１０Ａへの入力はチャンネル数Ｎ、例えば以下にチャンネル数２の場合を参照して説明する。なお、放射線モニタ用計数カード１０Ａへの入力はチャンネル数２に限定するものではなく、チャンネル数３以上でも構わない。
【００２９】
放射線モニタ用計数カード１０Ａには、２チャンネルのパルス信号ａ１，ａ２（ｎ＝１，２）に基づくロジックパルスｂ１，ｂ２が同時性を有するか否かを判定し同時性があると判定された場合ロジックパルスｂ１−２を出力する同時性判定部２５と、同時性があるとされる所要のタイミングレベルを設定する同時性判定設定部２６と、論理回路素子１６Ａとが備えられる。
【００３０】
論理回路素子１６Ａには、ロジックパルスｂ１−２を計数する同時性計数部２７と、この同時性計数部２７にて得られた計数値ｃ１−２を所要のタイミングｔｉ毎に読み出して記録する記録部１８とが設けられる。
【００３１】
図２に示された放射線モニタ用計数カード１０Ａにおいて、図１に示された放射線モニタ用計数カード１０と同一の構成要素には同一符号を付して重複した説明を省略する。
【００３２】
次いで、放射線モニタ用計数カード１０Ａの動作について説明する。
【００３３】
放射線検出器（図示しない）からのパルス信号ａｎ、例えばパルス信号ａ１，ａ２（ｎ＝１，２）は、コネクタ１３ａ，１３ｂから放射線モニタ用計数カード１０Ａにそれぞれ入力される。
【００３４】
パルス信号ａ１，ａ２は、コネクタ１３ａ，１３ｂから波高弁別部１４ａ，１４ｂにそれぞれ伝送され、この波高弁別部１４ａ，１４ｂは、波高値が、弁別値設定部１５によって設定された所要の弁別レベル以上の場合、論理回路素子１６Ａにロジックパルスｂ１，ｂ２をそれぞれ出力する。
【００３５】
論理回路素子１６Ａに設けられる計数部１７ａ，１７ｂでは、ロジックパルスｂ１，ｂ２が入力され、ロジックパルスｂ１，ｂ２の計数が行なわれ、計数値ｃ１，ｃ２がそれぞれ得られる。記録部１８は、計数部１７ａにて得られた計数値ｃ１，ｃ２を、読み出しタイミングｔｉ毎にそれぞれ読み出す。読み出された計数値ｃ１−ｔｉ，ｃ２−ｔｉは、記録部１８内部の、初期化されてデータを含まないブロックにそれぞれ記録される。
【００３６】
また、ロジックパルスｂ１，ｂ２は、同時性判定部２５に伝送される。同時性判定部２５は、同時性判定設定部２６によって設定された所要のタイミングレベルから、ロジックパルスｂ１，ｂ２が同時性を有すると判定された場合、論理回路素子１６Ａにロジックパルスｂ１−２を出力する。
【００３７】
論理回路素子１６Ａに設けられる同時性計数部２７では、ロジックパルスｂ１−２が入力され、ロジックパルスｂ１−２の計数が行なわれ、計数値ｃ１−２が得られる。記録部１８は、同時性計数部２７にて得られた計数値ｃ１−２を、読み出しタイミングｔｉ毎に読み出す。例えば、パルス信号ａ１，ａ２を基に得られた計数値ｃ１−２であり、読み出しタイミングｔ１で読み出された計数値ｃ１−２−ｔ１は、記録部１８内部の、初期化されてデータを含まないブロックに記録される。なお、記録部１８への読み出しが終了した読み出しタイミングｔ１の計数値ｃ１−２−ｔ１は、同時性計数部２７から消去される。
【００３８】
よって、記録部１８の内部に設けられる複数のブロックには、パルス信号ａｎに基づく計数値ｃｎ及び異なるパルス信号ａｎ，ａｍ（ｍ＜ｎ）に基づく計数値ｃｎ−ｍが、読み込みタイミングｔｉによって区分されて記録されることになる。
【００３９】
続いて、ＰＣ１１に備える図示しないＣＰＵは、読み出し対象とする計数値ｃ１−２と読み込みタイミングｔｉの情報をもつ要求信号ｄ１−２−ｔｉを発する。例えば、計数値ｃ１−２であり、読み込みタイミングｔ１の計数値ｃ１−２−ｔ１を読み出したい場合、ＣＰＵは、要求信号ｄ１−２−ｔ１を発する。この要求信号ｄ１−２−ｔ１は、ＰＣ接合部２０及びインターフェース素子１９を介して、記録部１８に伝送される。また、放射線モニタ用計数カード１０ＡにおけるＣＰＵは、計数値ｃｎであり、読み込みタイミングｔｉの計数値ｃｎ−ｔｉを読み出すために、要求信号ｄｎ−ｔｉを発することもできる。
【００４０】
記録部１８では、複数のブロックのうち、要求信号ｄ１−２−ｔ１に従って、計数値ｃ１であり、読み込みタイミングｔ１の計数値ｃ１−２−ｔ１が記録されているブロックを抽出する。このブロックに記録されている計数値ｃ１−２−ｔ１は、インターフェース素子１９及びＰＣ接合部２０を介してＰＣ１１に読み出され、このＰＣ１１に備える図示しない演算処理部等に出力される。なお、ＰＣ１１に読み出された計数値ｃ１−２−ｔ１が記録されていたブロックは、データが消去されて初期化される。
【００４１】
演算処理部では、計数値ｃ１−２−ｔ１に基づいて各種処理が行なわれ、その処理結果がディスプレイ（図示しない）に表示され、モニタされる。
【００４２】
放射線モニタ用計数カード１０Ａを用いると、放射線モニタの機能をＰＣ１１に内蔵することができるので、簡易な構成の放射線モニタを提供することができる。さらに、複数チャンネルのパルス信号ａｎを基に得られるロジックパルスｂｎを計数することができ、ＰＣ１１に読み出すことができる。
【００４３】
また、放射線モニタ用計数カード１０Ａを用いると、異なるチャンネルに基づくロジックパルスｂｎ，ｂｍの入力の同時性が、同時性判定部２５にて判定される。連続壊変の中間準位の半減期により定まる所要のタイミングレベル内の同時性判定によって、連続して放射線を放出するような放射能の成分を抽出できる。
【００４４】
図３は、本発明に係る放射線モニタ用計数カード放射線モニタ用計数カードの第３実施形態を示す概略図である。
【００４５】
図３は放射線モニタ用計数カード１０Ｂを示し、この放射線モニタ用計数カード１０Ｂは、拡張カードとして処理制御用計算機、例えばＰＣ１１に内蔵できるものである。なお、放射線モニタ用計数カード１０Ｂへの入力はチャンネル数Ｎ、例えば以下にチャンネル数２の場合を参照して説明する。なお、放射線モニタ用計数カード１０Ｂへの入力はチャンネル数２に限定するものではなく、チャンネル数１又は３以上でも構わない。
【００４６】
放射線モニタ用計数カード１０Ｂには、ロジックパルスｂ１，ｂ２の入力時間値Ｔｊを発するタイマー部３１と、論理回路素子１６Ｂとが備えられる。
【００４７】
論理回路素子１６Ｂには、タイマー部３１から入力されるロジックパルスｂ１，ｂ２の入力時間値Ｔｊを入力できる入力時間値記録部３２ａ，３２ｂが設けられる。入力時間値記録部３２ａの内部には、複数のブロックが設けられる。複数のブロックは、ロジックパルスｂｎの入力毎の入力時間値Ｔｊ（ｊ＝１，２，・・・）を記録するものである。例えば、パルス信号ａ１を基に得られたロジックパルスｂ１が入力時間値Ｔ１で入力されると、入力時間値Ｔ１が第１のブロックに記録される。さらに、パルス信号ａ１を基に得られたロジックパルスｂ１が入力時間値Ｔ２で入力されると、入力時間値Ｔ２が第２のブロックに記録される。なお、入力時間値記録部３２ｂの内部にも複数のブロックが設けられ、入力時間値記録部３２ａと同様の記録がなされる。
【００４８】
図３に示された放射線モニタ用計数カード１０Ｂにおいて、図１に示された放射線モニタ用計数カード１０と同一の構成要素には同一符号を付して重複した説明を省略する。
【００４９】
次いで、放射線モニタ用計数カード１０Ｂの動作について説明する。
【００５０】
放射線検出器（図示しない）からのパルス信号ａｎ、例えばパルス信号ａ１，ａ２（ｎ＝１，２）は、コネクタ１３ａ，１３ｂから放射線モニタ用計数カード１０Ｂにそれぞれ入力される。
【００５１】
パルス信号ａ１，ａ２は、コネクタ１３ａ，１３ｂから波高弁別部１４ａ，１４ｂにそれぞれ伝送され、この波高弁別部１４ａ，１４ｂは、波高値が、弁別値設定部１５によって設定された所要の弁別レベル以上の場合、論理回路素子１６Ｂにロジックパルスｂ１，ｂ２をそれぞれ出力する。
【００５２】
ここで、ロジックパルスｂ１が入力時間値記録部３２ａに入力される毎に、タイマー部３１が示す入力時間値Ｔｊが入力時間値記録部３２ａに入力され、入力時間値Ｔｊは、入力時間値記録部３２ａ内部の、初期化されてデータを含まないブロックに記録される。なお、入力時間値Ｔｊが記録されたブロックには、書込み禁止の情報が付け加えられる。例えば入力時間値Ｔ１が記録されたブロックには、書込み禁止の情報が付け加えられ、入力時間値Ｔ２以降によって上書きされないようにする。また、入力時間値記録部３２ａと同様の動作によって、入力時間値記録部３２ｂの内部に設けられるブロックにも、ロジックパルスｂ２の入力毎の入力時間値Ｔｊが記録される。
【００５３】
続いて、ＰＣ１１に備える図示しないＣＰＵは、入力時間値記録部３２ａに要求信号ｄｎを発する。例えば、ロジックパルスｂ１の入力時間値Ｔｊを読み出したい場合、ＣＰＵは、要求信号ｄ１を発する。この要求信号ｄ１は、ＰＣ接合部２０及びインターフェース素子１９を介して、入力時間値記録部３２ａに伝送される。また、入力時間値記録部３２ｂに要求信号ｄ２を発してもよい。
【００５４】
入力時間値記録部３２ａでは、複数のブロックのうち、要求信号ｄ１に従って、ロジックパルスｂ１に相当し最も古い入力時間値Ｔｊを有するブロックを抽出する。このブロックに記録されている入力時間値Ｔｊは、インターフェース素子１９及びＰＣ接合部２０を介してＰＣ１１に読み出される。なお、ＰＣ１１のＣＰＵにて読み出されたブロックは初期化される。
【００５５】
放射線モニタ用計数カード１０Ｂを用いると、放射線モニタの機能をＰＣ１１に内蔵することができるので、簡易な構成の放射線モニタを提供することができる。さらに、複数チャンネルのパルス信号ａｎを基に得られるロジックパルスｂｎの入力時間値Ｔｊを記録することができ、パルス信号ａｎの入力時間の間隔、及び各チャンネル間の時間相関を求めることができる。
【００５６】
放射線モニタ用計数カード１０Ｂを用いると、パルス信号ａｎの入力時間の間隔を記録することで、周期的なノイズ成分の除去を行なうことができる。
【図面の簡単な説明】
【００５７】
【図１】本発明に係る放射線モニタ用計数カードの第１実施形態を示す概略図。
【図２】本発明に係る放射線モニタ用計数カードの第２実施形態を示す概略図。
【図３】本発明に係る放射線モニタ用計数カードの第３実施形態を示す概略図。
【符号の説明】
【００５８】
１０，１０Ａ，１０Ｂ  放射線モニタ用計数カード
１１  ＰＣ
１３ａ，１３ｂ  コネクタ
１４ａ，１４ｂ  波高弁別部
１５  弁別値設定部
１６，１６Ａ，１６Ｂ  論理回路素子
１７ａ，１７ｂ  計数部
１８  記録部
１９  インターフェース素子
２０  ＰＣ接合部
２１  計算機固定用金具
２５  同時性判定部
２６  同時性判定設定部
２７  同時性計数部
３１  タイマー部
３２  入力時間値記録部
【図１】
2005106542.tif 000003
【図２】
2005106542.tif 000004
【図３】
2005106542.tif 000005